(57)【要約】【課題】無線通信の接続を再接続することが可能なネットワーク機器などを提供すること。【解決手段】ＭＦＣ１０およびＢＯＸ３１は、通信の接続設定を行うための複数の接続設定方式（ＡＯＳＳ、無線ウィザードなど）を備える。ＣＰＵ１１は、何れの接続設定方式を用いるかの指示がユーザから入力されることに応じて、指示された接続設定方式を用いて、ＡＰ５１と通信するための接続方式の設定を行う。ＣＰＵ１１は、接続設定に従い、ＡＰ５１と通信する。ＣＰＵ１１は、接続に用いられた接続設定方式を示す情報である特定情報を、ＥＥＰＲＯＭ１４に記憶する。ＣＰＵ１１は、通信の接続が切断されたことが検出されることに応じて、ＥＥＰＲＯＭ１４に記憶される特定情報に基づき、前回の設定で使用した接続設定方式接続方式を特定する。ＣＰＵ１１は、特定手段で特定された接続設定方式を用いてＡＰ５１との接続方式の設定を行う。【選択図】図３
2011035760.tif 000002
【特許請求の範囲】
【請求項１】
通信の接続設定を行うための複数の接続設定方式を備えるネットワーク機器であって、
複数の前記接続設定方式のうち、何れの前記接続設定方式を用いるかの指示が入力されることに応じて、指示された前記接続設定方式を用いてアクセスポイントと通信するための接続方式の設定を行う接続方式設定手段と、
前記接続設定に従い、前記アクセスポイントと通信する通信手段と、
前記接続方式設定手段が用いた前記接続設定方式を示す情報、または前記接続方式設定手段が設定した前記接続方式を示す情報である特定情報を記憶装置に記憶する記憶制御手段と、
前記接続方式が設定された状態で再度、前記接続設定を行う契機を検出する検出手段と、
前記検出手段が前記契機を検出することに応じて、前記記憶装置が記憶する前記特定情報に基づき、前記接続設定方式または前記接続方式を特定する特定手段と
を備え、
前記特定手段で特定された前記接続設定方式を用いて前記アクセスポイントとの前記接続方式の設定を行う、または、前記特定手段で特定された接続方式で前記アクセスポイントと通信するための設定を行う
ことを特徴とするネットワーク機器。
【請求項２】
前記通信の切断を検出することに応じて、または、前記通信の接続を再実行する旨の指示が入力されることに応じて、前記ネットワーク機器の前記接続設定をリセットし、前記ネットワーク機器をアドホックモードに設定する第１リセット手段と、
前記アドホックモードで前記ネットワーク機器が無線通信可能に接続されているか否かを確認する確認手段と
を備え、
前記特定手段は、
前記確認手段で前記無線通信が可能であることが確認されることに応じて、前記接続設定方式または前記接続方式を特定する動作を行う
ことを特徴とする請求項１に記載のネットワーク機器。
【請求項３】
前記接続設定方式には、
前記アクセスポイントの物理的な所定のボタンを押下する操作を行う旨をユーザに提示する第１提示手段を備え、
前記所定のボタンが押下されたことを受け付けることで前記アクセスポイントとの間の前記通信の前記接続設定を行うことができるプッシュボタン式接続設定方式と、
段階を踏んだ対話を通して前記接続設定の手順をユーザに提示するユーザインタフェースを備えたウィザード式接続設定方式と
が含まれることを特徴とする請求項１または請求項２に記載のネットワーク機器。
【請求項４】
通信の接続設定を行うための接続設定方式を備えるネットワーク機器であって、
前記通信の切断を検出することに応じて、または、前記通信の接続を再実行する旨の指示が入力されることに応じて、前記ネットワーク機器の前記接続設定をリセットし、前記ネットワーク機器をアドホックモードに設定する第１リセット手段と、
前記アドホックモードで前記ネットワーク機器が無線通信可能に接続されているか否かを確認する確認手段と、
前記確認手段で接続が確認されることに応じて、前記アクセスポイントとの前記接続設定をやり直す再接続手段と
を備えることを特徴とするネットワーク機器。
【請求項５】
前記ネットワーク機器は、
第１装置と、外部の通信網に接続される第２装置とを備え、
前記第１装置と前記第２装置とは、前記アクセスポイントを介してデータの送受信を行い、
前記第１装置は、
前記特定手段で特定された前記接続設定方式を用いて前記第１装置と前記アクセスポイントとの前記接続方式の設定を行う場合には、前記特定手段で特定された前記接続設定方式を用いて前記第２装置と前記アクセスポイントとの前記接続方式の設定を行う旨をユーザに提示する第２提示手段を備える
ことを特徴とする請求項１ないし請求項４の何れかに記載のネットワーク機器。
【請求項６】
前記第１装置はスキャン機能および印刷機能を備え、
前記第１装置は、
スキャン動作により生成した前記データを前記アクセスポイントおよび前記第２装置を介して前記外部の通信網へ送信し、
前記第２装置が前記外部の通信網から受信した前記データをアクセスポイントを介して受信した上で印刷する
ことを特徴とする請求項５に記載のネットワーク機器。
【請求項７】
前記第２装置は、
前記第１装置から前記アクセスポイントを介して送信されてきた前記データを受信した上で前記外部の通信網へ送信し、
前記外部の通信網から送信されてきた前記データを受信した上で前記アクセスポイントを介して前記第１装置へ送信する
ことを特徴とする請求項５に記載のネットワーク機器。
【発明の詳細な説明】
【技術分野】
【０００１】
本発明は、無線通信の接続を再接続することが可能なネットワーク機器に関するものである。
【背景技術】
【０００２】
複数の無線接続設定方式のうち、何れの方式が利用可能であるかを示す信号をアクセスポイントから受信し、受信した信号に従って選択した接続設定方式を用いてアクセスポイントとの接続設定を行うネットワーク機器が開示されている。当該ネットワーク機器では、無線接続が切断された場合などにおいて、無線接続を復旧することができる。
【先行技術文献】
【特許文献】
【０００３】
【特許文献１】特開２００８−７２５７７
【発明の概要】
【発明が解決しようとする課題】
【０００４】
複数の接続設定方式が利用可能である場合には、ユーザは何れかの接続設定方式を用いて接続設定を行う。従来は、通信接続が切断された場合などに通信接続を復旧する際に、接続設定方式までを考慮して、再度接続設定する技術はない。また、通信接続が切断された場合などに、切断などの前に有線・無線何れの通信接続を行っていたのかまで考慮して、再度接続設定する技術もない。よって、ユーザの利便性が損なわれることになる。本明細書では、このような不便性を解消することができる技術を提供する。
【課題を解決するための手段】
【０００５】
本目的を達成するために、本発明のネットワーク機器は、通信の接続設定を行うための複数の接続設定方式を備えるネットワーク機器であって、複数の接続設定方式のうち、何れの接続設定方式を用いるかの指示が入力されることに応じて、指示された接続設定方式を用いてアクセスポイントと通信するための接続方式の設定を行う接続方式設定手段と、接続設定に従い、アクセスポイントと通信する通信手段と、接続方式設定手段が用いた接続設定方式を示す情報、または接続方式設定手段が設定した接続方式を示す情報である特定情報を記憶装置に記憶する記憶制御手段と、接続方式が設定された状態で再度、接続設定を行う契機を検出する検出手段と、検出手段が契機を検出することに応じて、記憶装置が記憶する特定情報に基づき、接続設定方式または接続方式を特定する特定手段とを備え、特定手段で特定された接続設定方式を用いてアクセスポイントとの接続方式の設定を行う、または、特定手段で特定された接続方式でアクセスポイントと通信するための設定を行うことを特徴とする。
【発明の効果】
【０００６】
請求項１記載のネットワーク機器によれば、記憶制御手段によって、接続方式設定手段が用いた接続設定方式を示す情報、または接続方式設定手段が設定した接続方式を示す情報である特定情報が記憶装置に記憶される。ここで、ネットワーク機器には各種の機器が含まれる。ネットワーク機器の一例としては、スキャン機能や印刷機能などを備える装置や、外部の通信網に接続される装置などが挙げられる。また、通信の再接続時には、記憶装置が記憶する特定情報に基づき、特定手段で特定された接続設定方式を用いてアクセスポイントとの接続方式の設定が行われるか、特定手段で特定された接続方式でアクセスポイントと通信するための設定が行われる。よって、通信接続を復旧する際に、接続設定方式までを考慮したり、有線・無線何れの通信接続を行っていたのかまでを考慮して接続設定が再度行われるため、ユーザごとの通信環境を復旧することができ、ユーザの利便性が損なわれることを防止できる。
【０００７】
請求項２記載のネットワーク機器によれば、アクセスポイントとの通信の再接続が開始される前に、第１リセット手段によって、ネットワーク機器の接続設定がリセットされアドホックモードに設定される。そして、確認手段により、アドホックモードでネットワーク機器が無線通信可能に接続されていることが確認されることに応じて、通信の再接続が開始される。これにより、ネットワーク機器の動作確認をアドホックモードで行い、これらの装置に故障がないことを確認した上で再接続動作を行うことができるため、より確実に再接続動作を行うことができる。
【０００８】
請求項３記載のネットワーク機器によれば、接続設定方式には、プッシュボタン式接続設定方式と、ウィザード式接続設定方式とが含まれる。プッシュボタン式接続設定方式では、第１提示手段によって、アクセスポイントの所定のボタンを押下する操作を行う旨がユーザに提示される。そして、所定のボタンが押下されたことを受け付けることで、通信の接続設定が行われる。これにより、ユーザは、プッシュボタン式接続設定方式によって作成された無線ＬＡＮ環境を復旧する場合には、何れの接続設定方式によって無線ＬＡＮ環境を作成したかを覚えておく必要がないため、ユーザの利便性を高めることができる。また、これにより、プッシュボタン式接続設定方式によって作成された無線ＬＡＮ環境や、ウィザード式接続設定方式によって作成された無線ＬＡＮ環境を復旧することが可能となる。
【０００９】
請求項４記載のネットワーク機器によれば、再接続手段によってアクセスポイントとの通信の再接続が開始される前に、第１リセット手段によって、ネットワーク機器の接続設定がリセットされアドホックモードに設定される。そして、確認手段により、アドホックモードでネットワーク機器が無線通信可能に接続されていることが確認されることに応じて、通信の再接続が開始される。これにより、ネットワーク機器の動作確認をアドホックモードで行い、これらの装置に故障がないことを確認した上で再接続動作を行うことができるため、より確実に再接続動作を行うことができる。
【００１０】
請求項５記載のネットワーク機器は、第１装置と、外部の通信網に接続される第２装置とを備える。そして、第１装置は、第１装置とアクセスポイントとの接続を特定の接続設定方式を用いて行う場合には、第２装置とアクセスポイントとの接続を行う際においても、同一の接続設定方式用いる旨を、第２提示手段によってユーザに提示する。これにより、ユーザは、第１装置と第２装置との接続を復旧する場合には、何れの接続設定方式によって第１装置とアクセスポイントとを接続したかを覚えておく必要がないため、ユーザの利便性を高めることができる。
【００１１】
請求項６記載のネットワーク機器によれば、第２装置および第１装置によって、物理的に分離した構成を備える多機能周辺装置が構成される。よって、外部の通信網の接続部に第１装置を接続する必要がないため、第１装置のレイアウト性を高めることができ、ユーザの利便性を高めることができる。
【００１２】
請求項７記載のネットワーク機器によれば、第２装置および第１装置によって、物理的に分離した構成を備える多機能周辺装置が構成される。よって、外部の通信網の接続部に第１装置を接続する必要がないため、第１装置のレイアウト性を高めることができ、ユーザの利便性を高めることができる。
【図面の簡単な説明】
【００１３】
【図１】分散構成多機能周辺装置１のブロック図である。
【図２】分散構成多機能周辺装置１の動作の具体例を示すフロー図（その１）である。
【図３】分散構成多機能周辺装置１の動作の具体例を示すフロー図（その２）である。
【図４】無線ＬＡＮ簡単接続設定方式を使用した接続設定の具体例を示すフロー図である。
【図５】無線接続ウィザード接続設定方式を使用した接続設定の具体例を示すフロー図である。
【図６】有線ＬＡＮ接続方式による接続設定の具体例を示すフロー図である。
【発明を実施するための形態】
【００１４】
図１に、本願に係る第１実施形態として例示される分散構成多機能周辺装置１のブロック図を示す。分散構成多機能周辺装置１は、多機能周辺装置（以下「ＭＦＣ」と称す）１と、回線制御装置（以下「ＢＯＸ」と称す）３１とを備える。ＢＯＸ３１は、電話回線網１００を使用した通信の制御を行う通信装置である。ＭＦＣ１０は、プリンタ機能、スキャナ機能、コピー機能、ファクシミリ機能などを備える。アクセスポイント（以下「ＡＰ」と称す）５１は、ＭＦＣ１０およびＢＯＸ３１との間でデータ通信が可能に構成された、既知の中継装置である。
【００１５】
ＭＦＣ１０とＡＰ５１とは、インフラストラクチャーモードの無線ＬＡＮ接続方式により、無線通信２００を行うことが可能とされる。また、ＢＯＸ３１とＡＰ５１とは、インフラストラクチャーモードの無線ＬＡＮ接続方式により、無線通信２０１を行うことが可能とされる。よって、インフラストラクチャーモードにより、ＭＦＣ１０とＢＯＸ３１とは、ＡＰ５１を介してデータ通信が可能とされている。また、ＭＦＣ１０とＢＯＸ３１とは、アドホックモードの無線ＬＡＮ接続方式により、ＡＰ５１を介さずに無線通信２０２を行うことが可能とされる。
【００１６】
ＭＦＣ１０の構成について説明する。ＭＦＣ１０は、ＣＰＵ１１、ＲＯＭ１２、ＲＡＭ１３、ＥＥＰＲＯＭ１４、無線ＬＡＮ送受信部１５、無線ＬＡＮアンテナ部１６、有線ＬＡＮ送受信部２３、有線ＬＡＮコネクタ部２４、無線ＬＡＮ簡単接続制御部１５ａ、ボタン入力部１７、パネル１８、プリンタ１９、スキャナ２０、を主に備えている。これらの構成要素は、入出力ポート２２を介して互いに通信可能に接続されている。
【００１７】
ＣＰＵ１１は、ＲＯＭ１２等に記憶されるプログラムや、無線ＬＡＮ送受信部１５および有線ＬＡＮ送受信部２３を介して送受信される各種信号などに従って、各機能の制御を行う。ＲＯＭ１２は、ＭＦＣ１０で実行される制御プログラムなどを格納した書換不能なメモリであり、後述する無線ＬＡＮ簡単設定処理などを実行する各プログラムが格納されている。ＲＡＭ１３は、書換可能な揮発性のメモリである。ＥＥＰＲＯＭ１４は、書換可能な不揮発性のメモリである。ＥＥＰＲＯＭ１４には、後述する特定情報などが格納される。また、ＥＥＰＲＯＭ１４に、ＭＦＣ１０で実行される制御プログラムなどを格納するとしてもよい。
【００１８】
無線ＬＡＮ送受信部１５は、無線ＬＡＮアンテナ部１６を介して、インフラストラクチャーモードの無線通信２００や、アドホックモードの無線通信２０２を行う。また、有線ＬＡＮ送受信部２３は、有線ＬＡＮコネクタ部２４およびＬＡＮケーブル２５を介して、ＡＰ５１との間で有線通信を行う。そして、無線ＬＡＮ送受信部１５や、有線ＬＡＮ送受信部２３により、各種のデータを構成するデジタル信号が送受信される。
【００１９】
無線ＬＡＮ簡単接続制御部１５ａについて説明する。無線ＬＡＮ簡単接続制御部１５ａは、無線ＬＡＮ簡単接続設定方式による接続を実行するための制御部である。無線ＬＡＮ簡単接続設定方式は、ＭＦＣ１０とＡＰ５１との間で特別なデータ通信を実行し、インフラストラクチャーモードで互いに通信可能となるように、ＭＦＣ１０およびＡＰ５１の無線ＬＡＮに関する設定項目を自動的に設定する方式である。なお、無線ＬＡＮ簡単接続設定方式の一例としては、ＡｉｒＳｔａｔｉｏｎ  Ｏｎｅ−Ｔｏｕｃｈ  Ｓｅｃｕｒｅ  Ｓｙｓｔｅｍ（以下「ＡＯＳＳ（登録商標）」と称す）方式や、Ｗｉ−Ｆｉ  Ｐｒｏｔｅｃｔｅｄ  Ｓｅｔｕｐ（登録商標）（以下「ＷＰＳ」と称す））方式などが挙げられる。
【００２０】
ボタン入力部１７は、ＭＦＣ１０の各機能を実行するためのキーである。パネル１８は、ＭＦＣ１０の各種機能情報を表示する。プリンタ１９は、印刷を実行する部位である。スキャナ２０は、読み取りを実行する部位である。
【００２１】
ＢＯＸ３１の構成について説明する。ＢＯＸ３１は、ＣＰＵ３２、ＲＯＭ３３、ＲＡＭ３４、フラッシュメモリ３５、無線ＬＡＮ送受信部３６、無線ＬＡＮアンテナ部３７、無線ＬＡＮ簡単接続制御部３６ａ、操作キー３８、ＬＣＤ３９、モデム４０、電話回線接続部４１、を主に備えている。
【００２２】
モデム４０は、ファクシミリ機能によって送信する原稿データを、電話回線網１００に伝送可能な信号に変調して電話回線接続部４１を介して送信したり、電話回線網１００から電話回線接続部４１を介して入力された信号を受信し、原稿データへ復調するものである。
【００２３】
無線ＬＡＮ送受信部３６は、無線ＬＡＮアンテナ部３７を介して、インフラストラクチャーモードの無線通信２０１や、アドホックモードの無線通信２０２を行う。そして、無線ＬＡＮ送受信部３６により、各種のデータを構成するデジタル信号が送受信される。また、無線ＬＡＮ簡単接続制御部３６ａは、無線ＬＡＮ簡単接続設定方式による接続を実行するための制御部である。なお、ＢＯＸ３１のその他の構成は、上述したＭＦＣ１０の構成と同様であるため、ここでは詳細な説明は省略する。
【００２４】
ＡＰ５１の構成について説明する。ＡＰ５１は、無線ＬＡＮ簡単接続設定ボタン５１ａを備える。無線ＬＡＮ簡単接続設定ボタン５１ａが押下されることに応じて、無線ＬＡＮ簡単接続設定方式による接続が開始され、ＭＦＣ１０またはＢＯＸ３１との間で特別なデータ通信が実行される。
【００２５】
分散構成多機能周辺装置１について説明する。分散構成多機能周辺装置１は、ＢＯＸ３１およびＭＦＣ１０を備えることによって、物理的に分離した構成とされる。これにより、電話回線網１００のコネクタ部にＭＦＣ１０を直接に接続する必要がないため、ＭＦＣ１０のレイアウト性を高めることができ、ユーザの利便性を高めることができる。また、ＭＦＣ１０とＢＯＸ３１とは、１対１の対応を有して無線通信を行う設定とされる。よって、互いにペアとなるＭＦＣ１０とＢＯＸ３１との間のみで無線通信が行われる。
【００２６】
また例えば、分散構成多機能周辺装置１でファクシミリ機能を実行する場合には、ＭＦＣ１０のスキャナ２０で生成されたデータが、ＡＰ５１およびＢＯＸ３１を介して電話回線網１００へ送信される。また、ＢＯＸ３１が電話回線網１００から受信したデータが、ＡＰ５１を介してＭＦＣ１０で受信され、プリンタ１９で印刷される。
【００２７】
ＭＦＣ１０およびＢＯＸ３１の接続確認設定を説明する。接続確認設定は、無線ＬＡＮ簡単接続設定方式や無線接続ウィザード接続設定方式を用いて接続設定を行う前に、アドホックモードでＭＦＣ１０とＢＯＸ３１とが接続できることを確認するための設定である。本実施形態の説明例では、アドホックモードで接続確認を行う旨の接続確認設定が工場出荷時において設定され、当該設定がＥＥＰＲＯＭ１４に記憶されている場合を説明する。
【００２８】
第１実施形態に係る分散構成多機能周辺装置１の動作の具体例を、図２ないし図４のフローを用いて説明する。第１実施形態では、第１段階として、無線ＬＡＮ簡単接続設定方式を用いて、初めてＭＦＣ１０とＢＯＸ３１とを接続する初期接続設定時の動作を説明する。また、第２段階として、無線ＬＡＮ簡単接続設定方式により行われたＭＦＣ１０とＢＯＸ３１との間の無線接続が切断された場合における、接続の復旧動作を説明する。
【００２９】
第１段階である、無線ＬＡＮ簡単接続設定方式を用いた初期接続設定時の動作を説明する。ＣＰＵ１１で初期接続設定を開始するための契機が検出されることに応じて、Ｓ７１（図３）に進み、初期接続設定が行われる。初期接続設定を開始するための契機の例としては、ＭＦＣ１０のメニューに初期接続設定があり、ユーザがメニューを操作して初期接続設定を開始する命令を入力することが挙げられる。Ｓ７１において、ＣＰＵ１１は、「ネットワーク接続変更しますか？」を表示し、ユーザからの入力を待ち受ける。接続変更しない旨の入力を受け付けた場合（Ｓ７１：ＮＯ）には、Ｓ３６（図２）へ進み、接続確認を終了する。一方、接続変更する旨の入力を受け付けた場合（Ｓ７１：ＹＥＳ）には、Ｓ７３へ進む。第１実施形態の説明例では、初期接続設定時を説明しているため、接続変更する場合に該当し、Ｓ７３へ進む。
【００３０】
Ｓ７３において、ＣＰＵ１１は、前回の接続設定時に使用した接続設定方式が、無線ＬＡＮ簡単接続設定方式であるか否かを判断する。無線ＬＡＮ簡単接続設定方式ではないと判断される場合（Ｓ７３：ＮＯ）にはＳ７５へ進み、無線ＬＡＮ簡単接続設定方式であると判断される場合（Ｓ７３：ＹＥＳ）にはＳ４９へ進む。第１実施形態の説明例では、初期接続設定時を説明しており、前回の接続設定が行われていない場合を説明しているため（Ｓ７３：ＮＯ）、Ｓ７５へ進む。
【００３１】
Ｓ７５において、ＣＰＵ１１は、前回の接続設定時に使用した接続設定方式が、無線接続ウィザード接続設定方式である否かを判断する。無線接続ウィザード接続設定方式ではないと判断される場合（Ｓ７５：ＮＯ）にはＳ７７へ進み、無線接続ウィザード接続設定方式であると判断される場合（Ｓ７５：ＹＥＳ）にはＳ５３へ進む。第１実施形態の説明例では、初期接続設定時を説明しているため（Ｓ７５：ＮＯ）、Ｓ７７へ進む。
【００３２】
Ｓ７７において、ＣＰＵ１１は、接続方式が有線ＬＡＮ接続方式であるか否かを判断する。有線ＬＡＮ接続方式でないと判断される場合（Ｓ７７：ＮＯ）にはＳ４９へ進み、有線ＬＡＮ接続方式であると判断される場合（Ｓ７７：ＹＥＳ）にはＳ７９へ進む。第１実施形態の説明例では、無線ＬＡＮ簡単接続設定方式を使用する場合を説明しているため（Ｓ７７：ＮＯ）、Ｓ４９へ進む。
【００３３】
Ｓ４９において、ＣＰＵ１１は、「無線ＬＡＮ簡単接続設定方式による接続を行いますか？」をパネル１８に表示し、ユーザからの入力を待ち受ける。無線ＬＡＮ簡単接続設定方式による接続を実行しない旨の入力を受け付けた場合（Ｓ４９：ＮＯ）にはＳ５３へ進み、実行する旨の入力を受け付けた場合（Ｓ４９：ＹＥＳ）にはＳ５１へ進む。第１実施形態の説明例では、無線ＬＡＮ簡単接続設定方式を用いて接続設定を実行する場合を説明しているため（Ｓ４９：ＹＥＳ）、Ｓ５１へ進む。
【００３４】
Ｓ５１で行われる、無線ＬＡＮ簡単接続設定方式を使用した接続設定を、図４を用いて説明する。例として、ＭＦＣ１０とＡＰ５１との間の無線接続を設定する場合を説明する。
【００３５】
Ｓ１１１において、ＣＰＵ１１は、「アクセスポイントの無線ＬＡＮ簡単接続設定ボタンを押してください」をパネル１８に表示し、ユーザからの入力を待ち受ける。そして、ユーザによって無線ＬＡＮ簡単接続設定ボタン５１ａが押下されることに応じて、Ｓ１１３へ進む。Ｓ１１３において、ＣＰＵ１１は、無線ＬＡＮ簡単接続設定方式による無線接続を行う。無線接続が完了することに応じて、Ｓ１１５へ進む。
【００３６】
Ｓ１１５において、ＣＰＵ１１は、無線ＬＡＮ簡単接続設定方式による無線接続が正常に行われたか否かを判断する。接続が正常に行われていないと判断される場合（Ｓ１１５：ＮＯ）には、Ｓ１１７へ進み、ＣＰＵ１１は、「接続に失敗しました」をパネル１８に表示する。一方、接続が正常に行われていると判断される場合（Ｓ１１５：ＹＥＳ）には、Ｓ１１９へ進む。
【００３７】
Ｓ１１９において、ＣＰＵ１１は、無線ＬＡＮ簡単接続設定方式を用いて無線接続を行った旨の特定情報を、ＥＥＰＲＯＭ１４に保存する。また、Ｓ１２１において、ＣＰＵ１１は、「接続しました」をパネル１８に表示する。
【００３８】
Ｓ１２３において、ＣＰＵ１１は、「もう一方の機器（ＢＯＸ３１）の無線ＬＡＮ簡単接続設定方式による無線接続も行ってください」をパネル１８に表示する。これにより、ＭＦＣ１０とＡＰ５１との間の無線接続を設定した無線ＬＡＮ簡単接続設定方式と同一の方式を用いて、ＢＯＸ３１とＡＰ５１との間の無線接続の設定を行う旨が、ユーザに提示される。以上により、ＭＦＣ１０とＡＰ５１との間の、無線ＬＡＮ簡単接続設定方式を用いた無線接続の設定が終了する。なお、ＢＯＸ３１とＡＰ５１との間の無線ＬＡＮ簡単接続設定方式を用いた無線接続の設定は、前述したＭＦＣ１０とＡＰ５１との間の無線ＬＡＮ簡単接続設定方式を用いた無線接続の設定と同様であるため、ここでは詳細な説明は省略する。
【００３９】
Ｓ５１（図３）において無線ＬＡＮ簡単接続設定方式による無線接続が終了すると、Ｓ３６（図２）へ進み、接続確認が終了する。そしてＳ３７において、ＭＦＣ１０およびＢＯＸ３１の間で、ＡＰ５１を介して互いにデータ通信が実行される。以上より、第１段階である、無線ＬＡＮ簡単接続設定方式を用いた初期接続設定が完了する。
【００４０】
第２段階として、無線ＬＡＮ簡単接続設定方式により行われたＭＦＣ１０とＢＯＸ３１との間の無線接続が切断された場合における、接続の復旧動作を説明する。ＣＰＵ１１で接続確認を開始するための契機が検出されることに応じて、Ｓ１１（図２）に進み、接続確認が行われる。接続確認を開始するための契機の例としては、ＭＦＣ１０のメニューに接続確認があり、ユーザがメニューを操作して接続確認を開始する命令を入力することが挙げられる。また、通信の接続が切断されたことが検出されることが挙げられる。第１実施形態の説明例では、無線ＬＡＮ送受信部１５およびＣＰＵ１１において接続が切断された旨が検出されることに応じて、Ｓ１１へ進み、接続確認が開始される。
【００４１】
Ｓ１３において、ＣＰＵ１１は、「接続確認中です」をパネル１８に表示する。Ｓ１５において、ＣＰＵ１１は、ＭＦＣ１０からＢＯＸ３１へＳＮＭＰブロードキャストにより情報問い合わせを行う。Ｓ１７において、ＣＰＵ１１は、ＢＯＸ３１からの応答があるか否かを判断する。応答があると判断される場合（Ｓ１７：ＹＥＳ）には、接続できていると判断され、Ｓ４１（図３）へ進む。一方、応答がないと判断される場合（Ｓ１７：ＮＯ）には、接続できていないと判断され、Ｓ１９へ進む。第１実施形態の説明例では、無線接続が切断された場合を説明しているため、接続できていないと判断され（Ｓ１７：ＮＯ）、Ｓ１９へ進む。
【００４２】
Ｓ１９において、ＣＰＵ１１は、「接続できませんでした」をパネル１８に表示する。また、Ｓ２１において、ＣＰＵ１１は、「工場出荷時の接続設定に戻しますか？」をパネル１８に表示し、ユーザからの入力を待ち受ける。工場出荷時の接続設定に戻さない旨の入力を受け付けた場合（Ｓ２１：ＮＯ）にはＳ７１（図３）へ進み、工場出荷時の接続設定に戻す旨の入力を受け付けた場合（Ｓ２１：ＹＥＳ）にはＳ２３へ進む。第１実施形態の説明例では、工場出荷時の接続設定に戻す旨の入力が受け付けられ、Ｓ２３へ進む場合を説明する。
【００４３】
Ｓ２３において、ＣＰＵ１１は、「ＢＯＸ３１のネットワーク設定リセットを行ってください」をパネル１８に表示し、Ｓ２５へ進む。Ｓ２５において、ＣＰＵ１１は、「ＢＯＸ３１のネットワーク設定リセットを実行しましたか？」を表示し、ユーザによるネットワーク設定リセットの実行を待ち受ける。リセットを実行していない旨の入力を受け付けた場合（Ｓ２５：ＮＯ）には、Ｓ３６へ進み、ＣＰＵ１１は接続確認を終了する。一方、リセットを実行した旨の入力を受け付けた場合（Ｓ２５：ＹＥＳ）には、Ｓ２７へ進む。第１実施形態の説明例では、ＢＯＸ３１のネットワーク設定リセットが実行され、Ｓ２７へ進む場合を説明する。
【００４４】
なお、ＢＯＸ３１のネットワーク設定リセットの内容については、後述する、ＭＦＣ１０のネットワーク設定リセットの内容（Ｓ２７ないしＳ３５）と同様であるため、ここでは詳細な説明を省略する。
【００４５】
Ｓ２７ないしＳ３５において行われる、ＭＦＣ１０のネットワーク設定リセットを説明する。Ｓ２７において、ＣＰＵ１１は、「ＭＦＣのネットワーク設定リセットを実行中」をパネル１８に表示する。Ｓ２９において、ＣＰＵ１１は、ＭＦＣ１０のネットワーク設定初期化を行う。ネットワーク設定初期化は、工場出荷時においてＥＥＰＲＯＭ１４に記憶された、接続確認設定に従って行われる。第１実施形態の説明例では、アドホックモードでＭＦＣ１０とＢＯＸ３１とが接続されることで、ネットワーク設定初期化が行われる場合を説明する。
【００４６】
Ｓ３１において、ＣＰＵ１１は、アドホック接続の設定を完了する。Ｓ３５において、ＣＰＵ１１は、ＭＦＣ１０についてネットワーク設定リセットを実行した旨を、ＥＥＰＲＯＭ１４に保存する。以上より、ＭＦＣ１０のネットワーク設定リセットが完了し、Ｓ１３へ戻る。
【００４７】
ネットワーク設定リセット後における、接続の復旧動作について説明する。Ｓ１３において、ＣＰＵ１１は、「接続確認中です」をパネル１８に表示する。そして、Ｓ１７において、ＣＰＵ１１は、ＢＯＸ３１からの応答があるか否かを再度判断する。第１実施形態の説明例では、アドホックモードでＭＦＣ１０とＢＯＸ３１とが接続されているため、応答が確認され（Ｓ１７：ＹＥＳ）、Ｓ４１（図３）へ進む。
【００４８】
Ｓ４１において、ＣＰＵ１１は、ネットワーク設定リセット（Ｓ２９）の実行後であるか否かを判断する。実行後でないと判断される場合（Ｓ４１：ＮＯ）にはＳ７１へ進み、実行後であると判断される場合（Ｓ４１：ＹＥＳ）にはＳ４３へ進む。第１実施形態の説明例では、Ｓ２９においてネットワーク設定リセットが実行されているため（Ｓ４１：ＹＥＳ）、Ｓ４３へ進む。
【００４９】
Ｓ４３において、ＣＰＵ１１は、接続設定が接続確認状態とされているか否かを判断する。接続確認状態とされていると判断される場合（Ｓ４３：ＹＥＳ）にはＳ４５へ進み、接続確認状態とされていないと判断される場合（Ｓ４３：ＮＯ）にはＳ７１へ進む。第１実施形態の説明例では、アドホックモードで接続されており、接続確認状態とされている場合を説明しているため、Ｓ４５へ進む。Ｓ４５において、ＣＰＵ１１は、「工場出荷時状態に戻しました。ご希望の環境に再設定してください」をパネル１８に表示する。
【００５０】
Ｓ４７において、ＣＰＵ１１は、前回の接続設定時に使用した接続設定方式が、無線ＬＡＮ簡単接続設定方式であるか否かを、ＥＥＰＲＯＭ１４に記憶された特定情報に基づいて判断する。無線ＬＡＮ簡単接続設定方式ではないと判断される場合（Ｓ４７：ＮＯ）にはＳ５３へ進み、無線ＬＡＮ簡単接続設定方式であると判断される場合（Ｓ４７：ＹＥＳ）にはＳ４９へ進む。第１実施形態の説明例では、前回の接続設定を無線ＬＡＮ簡単接続設定方式で行った旨の特定情報がＥＥＰＲＯＭ１４に記憶されており、無線ＬＡＮ簡単接続設定方式であると判断される（Ｓ４７：ＹＥＳ）ため、Ｓ４９へ進む。
【００５１】
Ｓ４９において、ＣＰＵ１１は、「無線ＬＡＮ簡単接続設定方式による接続を行いますか？」をパネル１８に表示し、ユーザからの入力を待ち受ける。このように、特定情報によって前回の接続設定を無線ＬＡＮ簡単接続設定方式で行った旨が特定される場合においても、ユーザに当該無線ＬＡＮ簡単接続設定方式を用いるか否かを再度選択させるステップを用意することで、ユーザフレンドリ機能を得ることができる。第１実施形態の説明例では、無線ＬＡＮ簡単接続設定方式による接続を行う旨の入力がなされ（Ｓ４９：ＹＥＳ）、Ｓ５１へ進む場合を説明する。なお、Ｓ５１において行われる無線ＬＡＮ簡単接続設定方式での接続設定の内容は、前述した内容と同様であるため、ここでは詳細な説明は省略する。
【００５２】
以上説明したように、第１実施形態の説明例に係る分散構成多機能周辺装置１によれば、無線ＬＡＮ簡単接続設定方式を用いて無線接続を行った旨の特定情報がＥＥＰＲＯＭ１４に記憶される。また、接続の復旧動作時には、ＥＥＰＲＯＭ１４が記憶する特定情報に基づき、前回の無線接続で使用された無線ＬＡＮ簡単接続設定方式を用いて、再接続が行われる。よって、通信接続を復旧する際に、接続設定方式までを考慮して接続設定が再度行われるため、ユーザごとの通信環境を復旧することができ、ユーザの利便性が損なわれることを防止できる。
【００５３】
また、第１実施形態の説明例に係る分散構成多機能周辺装置１によれば、無線通信の接続の復旧動作が開始される前に、ＭＦＣ１０およびＢＯＸ３１のネットワーク設定リセットが行われる。そして、アドホックモードによりＭＦＣ１０とＢＯＸ３１とが無線通信可能に接続されていることが確認されることに応じて、無線ＬＡＮ簡単接続設定方式を用いた無線通信の復旧動作が開始される。これにより、ＭＦＣ１０およびＢＯＸ３１の動作確認をアドホックモードで行い、これらの装置に故障がないことを確認した上で復旧動作を行うことができるため、より確実に復旧動作を行うことができる。
【００５４】
また、ＭＦＣ１０とＢＯＸ３１とは１対１の対応を有して無線通信を行う設定とされるため、互いにペアとなるＭＦＣ１０とＢＯＸ３１との間のみで無線通信が行われる。そして、ＭＦＣ１０とＢＯＸ３１の動作確認をアドホックモードで行うことで、これらの機器が互いにペアとなる機器であるか否かを確認することができる。よって、アドホックモードにより互いにペアとなるＭＦＣ１０とＢＯＸ３１であることを確認した上で復旧動作を行うことができるため、より確実に復旧動作を行うことができる。
【００５５】
また、第１実施形態の説明例に係る分散構成多機能周辺装置１によれば、無線ＬＡＮ簡単接続設定方式において、ＡＰ５１の無線ＬＡＮ簡単接続設定ボタン５１ａを押下する操作を行う旨がユーザに提示される。そして、無線ＬＡＮ簡単接続設定ボタン５１ａが押下されたことを受け付けることで、通信の接続設定が行われる。これにより、ユーザは、何れの接続設定方式によって無線ＬＡＮ環境を作成したかを覚えておく必要がないため、ユーザの利便性を高めることができる。
【００５６】
第２実施形態に係る分散構成多機能周辺装置１の動作の具体例を、図２、図３および図５のフローを用いて説明する。第２実施形態では、第１段階として、無線接続ウィザード接続設定方式を用いて、初めてＭＦＣ１０とＢＯＸ３１とを接続する初期接続設定時の動作を説明する。また、第２段階として、無線接続ウィザード接続設定方式により行われたＭＦＣ１０とＢＯＸ３１との間の無線接続が切断された場合における、接続の復旧動作を説明する。なお、分散構成多機能周辺装置１の構成は、第１実施形態と同様であるため、ここでは詳細な説明は省略する。
【００５７】
第１段階である、無線接続ウィザード接続設定方式を用いた初期接続設定時の動作を説明する。初期接続設定時における、Ｓ４９までの動作は、前述の第１実施形態の説明例と同様であるため、ここでは詳細な説明を省略する。
【００５８】
Ｓ４９において、ＣＰＵ１１は、「無線ＬＡＮ簡単接続設定方式による接続を行いますか？」をパネル１８に表示し、ユーザからの入力を待ち受ける。第２実施形態の説明例では、無線接続ウィザード接続設定方式を用いて接続設定を実行する場合を説明しているため（Ｓ４９：ＮＯ）、Ｓ５４へ進む。
【００５９】
Ｓ５４において、ＣＰＵ１１は、「無線接続ウィザードを行いますか？」をパネル１８に表示し、ユーザからの入力を待ち受ける。無線接続ウィザードを実行しない旨の入力を受け付けた場合（Ｓ５４：ＮＯ）にはＳ５７へ進み、実行する旨の入力を受け付けた場合（Ｓ５４：ＹＥＳ）にはＳ５５へ進む。第２実施形態の説明例では、無線接続ウィザード接続設定方式を用いて接続設定を実行する場合を説明しているため（Ｓ５４：ＹＥＳ）、Ｓ５５へ進む。
【００６０】
Ｓ５５で行われる、無線接続ウィザード接続設定方式を使用した接続設定を、図５を用いて説明する。無線接続ウィザード接続設定方式は、段階を踏んだ対話を通して接続設定の手順をユーザに提示するユーザインタフェースを用いて、ユーザに接続設定を実行させる接続設定方式である。無線接続ウィザードのプログラムは、ＲＯＭ１２に記憶される。第２実施形態では、例として、ＭＦＣ１０とＡＰ５１との間の無線接続を設定する場合を説明する。
【００６１】
Ｓ１３１において、ＣＰＵ１１は、ＳＳＩＤ（Service Set Identifier）の検索を行う。ＳＳＩＤとは、無線ＬＡＮのアクセスポイントを識別するための名前である。アクセスポイントから定期的にＳＳＩＤがブロードキャストされるため、ＳＳＩＤを検出することにより、何れのアクセスポイントが接続可能な状態であるかを認識することができる。
【００６２】
Ｓ１３３において、ＣＰＵ１１は、ＳＳＩＤ検索結果をパネル１８に表示し、ユーザからの選択入力を待ち受ける。そして、ユーザによって、何れのアクセスポイントにアクセスするかの選択が入力されることに応じて、Ｓ１３５へ進む。Ｓ１３５において、ＣＰＵ１１は、パスワード入力を受け付ける。ユーザによってパスワードが入力されることに応じて、Ｓ１３７へ進む。Ｓ１３７において、ＣＰＵ１１は、選択されたＳＳＩＤに対応するアクセスポイントに対して、入力したパスワードを用いて無線接続を行う。第２実施形態では、ＡＰ５１がアクセス先のアクセスポイントとして選択される場合を説明する。
【００６３】
Ｓ１３９において、ＣＰＵ１１は、無線接続ウィザード接続設定方式による無線接続が正常に行われたか否かを判断する。接続が正常に行われていないと判断される場合（Ｓ１３９：ＮＯ）には、Ｓ１４１へ進み、ＣＰＵ１１は、「接続に失敗しました」をパネル１８に表示する。一方、接続が正常に行われていると判断される場合（Ｓ１３９：ＹＥＳ）には、Ｓ１４３へ進み、ＣＰＵ１１は、「接続しました」をパネル１８に表示した上でＳ１４５へ進む。Ｓ１４５において、ＣＰＵ１１は、無線接続ウィザード接続設定方式を用いて無線接続を行った旨の特定情報を、ＥＥＰＲＯＭ１４に保存する。
【００６４】
Ｓ１４７において、ＣＰＵ１１は、「もう一方の機器（ＢＯＸ３１）の無線接続ウィザードによる無線接続も行ってください」をパネル１８に表示する。これにより、ＭＦＣ１０とＡＰ５１との間の無線接続を設定した無線接続ウィザード接続設定方式と同一の方式を用いて、ＢＯＸ３１とＡＰ５１との間の無線接続の設定を行う旨が、ユーザに提示される。以上により、ＭＦＣ１０とＡＰ５１との間の、無線接続ウィザード接続設定方式を用いた無線接続の設定が終了する。なお、ＢＯＸ３１とＡＰ５１との間の無線接続ウィザード接続設定方式を用いた無線接続の設定は、前述したＭＦＣ１０とＡＰ５１との間の無線接続ウィザード接続設定方式を用いた無線接続の設定と同様であるため、ここでは詳細な説明は省略する。
【００６５】
Ｓ５１（図３）において無線接続ウィザード接続設定方式による無線接続が終了すると、Ｓ３６（図２）へ進み、接続確認が終了する。そしてＳ３７において、ＭＦＣ１０およびＢＯＸ３１の間で、ＡＰ５１を介して互いにデータ通信が実行される。以上より、第１段階である、無線接続ウィザード接続設定方式を用いた初期接続設定が完了する。
【００６６】
次に、第２段階として、無線接続ウィザード接続設定方式により行われたＭＦＣ１０とＢＯＸ３１との間の無線接続が切断された場合における、接続の復旧動作を説明する。無線ＬＡＮ送受信部１５およびＣＰＵ１１において、接続が切断された旨が検出されることに応じてＳ１１へ進み、接続確認が開始される。
【００６７】
Ｓ１１からＳ３５において行われる、アドホックモードによるＭＦＣ１０とＢＯＸ３１との接続動作については、第１実施形態と同様であるため、ここでは詳細な説明は省略する。また、アドホックモードによる接続後における、Ｓ１１からＳ４７までの動作は前述の第１実施形態の説明例と同様であるため、ここでは詳細な説明を省略する。
【００６８】
Ｓ４７において、ＣＰＵ１１は、前回の接続設定時に使用した接続設定方式が、無線ＬＡＮ簡単接続設定方式であるかを判断する。第２実施形態の説明例では、前回の接続設定を無線接続ウィザード接続設定方式で行った場合を説明しているため（Ｓ４７：ＮＯ）、Ｓ５３へ進む。
【００６９】
Ｓ５３において、ＣＰＵ１１は、前回の接続設定時に使用した接続設定方式が、無線接続ウィザード接続設定方式であるかを、ＥＥＰＲＯＭ１４に記憶された特定情報に基づき判断する。無線接続ウィザード接続設定方式ではないと判断される場合（Ｓ５３：ＮＯ）にはＳ５７へ進み、無線接続ウィザード接続設定方式であると判断される場合（Ｓ５３：ＹＥＳ）にはＳ５４へ進む。第２実施形態の説明例では、前回の接続設定を無線接続ウィザード接続設定方式で行った旨の特定情報がＥＥＰＲＯＭ１４に記憶されており、無線接続ウィザード接続設定方式であると判断される（Ｓ５３：ＹＥＳ）ため、Ｓ５４へ進む。
【００７０】
Ｓ５４において、ＣＰＵ１１は、「無線接続ウィザード接続設定方式による接続を行いますか？」をパネル１８に表示し、ユーザからの入力を待ち受ける。第２実施形態の説明例では、無線接続ウィザード接続設定方式による接続を行う旨の入力がなされ（Ｓ５４：ＹＥＳ）、Ｓ５５へ進む場合を説明する。なお、Ｓ５５において行われる無線接続ウィザード接続設定方式での接続設定の内容は、前述した内容と同様であるため、ここでは詳細な説明は省略する。
【００７１】
以上説明したように、第２実施形態の説明例に係る分散構成多機能周辺装置１によれば、無線接続ウィザード接続設定方式を用いて無線接続を行った旨の特定情報がＥＥＰＲＯＭ１４に記憶される。また、接続の復旧動作時には、ＥＥＰＲＯＭ１４が記憶する特定情報に基づき、前回の無線接続で使用された無線接続ウィザード接続設定方式を用いて、再接続が行われる。よって、通信接続を復旧する際に、接続設定方式までを考慮して接続設定が再度行われるため、ユーザごとの通信環境を復旧することができ、ユーザの利便性が損なわれることを防止できる。
【００７２】
第３実施形態に係る分散構成多機能周辺装置１の動作の具体例を、図２、図３および図６のフローを用いて説明する。第３実施形態では、第１段階として、有線ＬＡＮ接続方式を用いて、初めてＭＦＣ１０とＢＯＸ３１とを接続する初期接続設定時の動作を説明する。また、第２段階として、ＭＦＣ１０とＢＯＸ３１との間の有線ＬＡＮ接続方式の接続が切断された場合における、接続の復旧動作を説明する。なお、分散構成多機能周辺装置１の構成は、第１実施形態と同様であるため、ここでは詳細な説明は省略する。
【００７３】
第１段階である、有線ＬＡＮ接続方式を用いた初期接続設定時の動作を説明する。初期接続設定時における、Ｓ７７までの動作は、前述の第１実施形態の説明例と同様であるため、ここでは詳細な説明を省略する。
【００７４】
Ｓ７７において、ＣＰＵ１１は、接続方式が有線ＬＡＮ接続方式であるか否かを判断する。第３実施形態の説明例では、有線ＬＡＮ接続方式を使用する場合を説明しているため（Ｓ７７：ＹＥＳ）、Ｓ７９へ進む。
【００７５】
Ｓ７９において、ＣＰＵ１１は、「無線ＬＡＮに切り替えますか？」をパネル１８に表示し、ユーザからの入力を待ち受ける。無線ＬＡＮに切り替えない旨の入力を受け付けた場合（Ｓ７９：ＮＯ）には接続確認を終了し、無線ＬＡＮに切り替える旨の入力を受け付けた場合（Ｓ７９：ＹＥＳ）にはＳ４９へ進む。第３実施形態では、無線ＬＡＮに切り替えない旨の入力を受け付ける場合を説明する。
【００７６】
Ｓ４９において、ＣＰＵ１１は、「無線ＬＡＮ簡単接続設定方式による接続を行いますか？」をパネル１８に表示し、ユーザからの入力を待ち受ける。第３実施形態の説明例では、有線ＬＡＮ接続方式を用いて接続設定を実行する場合を説明しているため（Ｓ４９：ＮＯ）、Ｓ５４へ進む。
【００７７】
Ｓ５４において、ＣＰＵ１１は、「無線接続ウィザードを行いますか？」をパネル１８に表示し、ユーザからの入力を待ち受ける。第３実施形態の説明例では、有線ＬＡＮ接続方式を用いて接続設定を実行する場合を説明しているため（Ｓ５４：ＮＯ）、Ｓ５７へ進む。
【００７８】
Ｓ５７において、ＣＰＵ１１は、前回の接続設定時に使用した接続方式が有線ＬＡＮ接続方式であるかを、ＥＥＰＲＯＭ１４に記憶された特定情報に基づき判断する。有線ＬＡＮ接続方式ではないと判断される場合（Ｓ５７：ＮＯ）にはＳ６１へ進み、有線ＬＡＮ接続方式であると判断される場合（Ｓ５７：ＹＥＳ）にはＳ５９へ進む。第３実施形態の説明例では、初期接続設定時であり、特定情報が記憶されていないため（Ｓ５７：ＮＯ）、Ｓ６１へ進む。
【００７９】
Ｓ６１において、ＣＰＵ１１は、「有線ＬＡＮに切り替えますか？」をパネル１８に表示し、ユーザからの入力を待ち受ける。切り替えない旨の入力を受け付けた場合（Ｓ６１：ＮＯ）には接続確認を終了し、切り替える旨の入力を受け付けた場合（Ｓ６１：ＹＥＳ）にはＳ６３へ進む。第３実施形態では、有線ＬＡＮに切り替える旨の入力を受け付ける場合を説明する。
【００８０】
Ｓ６３で行われる、有線ＬＡＮ接続方式による接続設定を、図６を用いて説明する。
【００８１】
Ｓ１５１において、ＣＰＵ１１は、無線ＬＡＮ接続方式が使用されている場合には、無線ＬＡＮ接続方式を停止する旨の命令を無線ＬＡＮ送受信部１５に対して送信する。Ｓ１５３において、ＣＰＵ１１は、有線ＬＡＮ接続方式の初期化および設定を行う旨の命令を有線ＬＡＮ送受信部２３へ送信する。Ｓ１５５において、ＣＰＵ１１は、有線ＬＡＮ接続を起動する旨の命令を有線ＬＡＮ送受信部２３へ送信する。
【００８２】
Ｓ１５７において、ＣＰＵ１１は、有線ＬＡＮ接続方式を用いて有線接続を行った旨の特定情報を、ＥＥＰＲＯＭ１４に保存する。以上により、ＭＦＣ１０とＡＰ５１との間の有線ＬＡＮ接続の設定が終了する。
【００８３】
次に、第２段階として、有線ＬＡＮ接続方式で接続されたＭＦＣ１０とＡＰ５１との間の接続が切断された場合における、接続の復旧動作を説明する。有線ＬＡＮ送受信部２３およびＣＰＵ１１において、接続が切断された旨が検出されることに応じてＳ１１へ進み、接続確認が開始される。
【００８４】
Ｓ１１からＳ３５において行われる、アドホックモードによるＭＦＣ１０とＢＯＸ３１との接続動作については、第１実施形態と同様であるため、ここでは詳細な説明は省略する。また、アドホックモードによる接続後における、Ｓ１１からＳ４７までの動作は前述の第１実施形態の説明例と同様であるため、ここでは詳細な説明を省略する。
【００８５】
Ｓ４７において、ＣＰＵ１１は、前回の接続設定時に使用した接続設定方式が無線ＬＡＮ簡単接続設定方式であるかを、ＥＥＰＲＯＭ１４に記憶された特定情報に基づき判断する。第３実施形態の説明例では、前回の接続を有線ＬＡＮ接続方式で行った場合を説明しているため（Ｓ４７：ＮＯ）、Ｓ５３へ進む。
【００８６】
Ｓ５３において、ＣＰＵ１１は、前回の接続設定時に使用した接続設定方式が、無線接続ウィザード接続設定方式であるかを、ＥＥＰＲＯＭ１４に記憶された特定情報に基づき判断する。第３実施形態の説明例では、前回の接続を有線ＬＡＮ接続方式で行った場合を説明しているため（Ｓ５３：ＮＯ）、Ｓ５７へ進む。
【００８７】
Ｓ５７において、ＣＰＵ１１は、前回の接続設定時に使用した接続方式が有線ＬＡＮ接続方式であるかを、ＥＥＰＲＯＭ１４に記憶された特定情報に基づき判断する。第３実施形態の説明例では、前回の接続を有線ＬＡＮ接続方式で行った場合を説明しているため（Ｓ５７：ＹＥＳ）、Ｓ５９へ進む。
【００８８】
Ｓ５９において、ＣＰＵ１１は、「有線ＬＡＮで使用されたい場合は有線ＬＡＮ設定を行ってください」をパネル１８に表示し、Ｓ６１へ進む。Ｓ６１において、ＣＰＵ１１は、「有線ＬＡＮに切り替えますか？」をパネル１８に表示し、ユーザからの入力を待ち受ける。第３実施形態の説明例では、有線ＬＡＮ接続方式による接続を行う旨の入力がなされ（Ｓ６１：ＹＥＳ）、Ｓ６３へ進む。なお、Ｓ６３において行われる有線ＬＡＮ接続方式での接続の内容は、前述した内容と同様であるため、ここでは詳細な説明は省略する。
【００８９】
以上説明したように、第３実施形態の説明例に係る分散構成多機能周辺装置１によれば、有線ＬＡＮ接続方式でＭＦＣ１０とＡＰ５１との接続を行った旨の特定情報がＥＥＰＲＯＭ１４に記憶される。また、接続の復旧動作時には、ＥＥＰＲＯＭ１４が記憶する特定情報に基づき、前回の接続で使用された有線ＬＡＮ接続方式で、ＭＦＣ１０とＡＰ５１との再接続が行われる。よって、通信接続を復旧する際に、接続方式までを考慮して接続設定が再度行われるため、ユーザごとの通信環境を復旧することができ、ユーザの利便性が損なわれることを防止できる。
【００９０】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【００９１】
通信方式を無線ＬＡＮ接続方式に限定するものではなく、他の通信方式の無線通信によりデータ通信可能に構成しても良い。他の通信方式の一例としては、赤外線通信（ＩｒＤＡなど）、Ｂｌｕｅｔｏｏｔｈ、ＺｉｇＢｅｅ、ＵＷＢなどが挙げられる。
【００９２】
なお、無線ＬＡＮ簡単接続設定方式および無線接続ウィザード接続設定方式は接続設定方式の一例、ＭＦＣ１０およびＢＯＸ３１はネットワーク機器の一例、無線ＬＡＮ接続方式および有線ＬＡＮ接続方式は接続方式の一例、無線ＬＡＮ簡単接続設定ボタン５１ａは所定のボタンの一例、ＡＯＳＳおよびＷＰＳはプッシュボタン式接続設定方式の一例、ＭＦＣ１０は第１装置の一例、ＢＯＸ３１は第２装置の一例、電話回線網１００は外部の通信網の一例、である。
【００９３】
また、Ｓ５１、Ｓ５５、Ｓ６３を実行する制御部は接続方式設定手段および再接続手段の一例である。Ｓ３７を実行する制御部は通信手段の一例である。Ｓ１１９、Ｓ１４５、Ｓ１５７を実行する制御部は記憶制御手段の一例である。Ｓ１１を実行する制御部は検出手段の一例である。Ｓ５７、Ｓ７３、Ｓ７５、Ｓ４７、Ｓ４９を実行する制御部は特定手段の一例である。Ｓ２３、Ｓ２９、Ｓ３１を実行する制御部は第１リセット手段の一例である。Ｓ１７を実行する制御部は確認手段の一例である。Ｓ１１１を実行する制御部は第１提示手段の一例である。Ｓ１２３、Ｓ１４７を実行する制御部は第２提示手段の一例である。
【符号の説明】
【００９４】
１  分散構成多機能周辺装置
１０  ＭＦＣ
１１、３２  ＣＰＵ
３１  ＢＯＸ
５１  ＡＰ
２００、２０１、２０２  無線通信
【図１】
2011035760.tif 000003
【図２】
2011035760.tif 000004
【図３】
2011035760.tif 000005
【図４】
2011035760.tif 000006
【図５】
2011035760.tif 000007
【図６】
2011035760.tif 000008